Podtech/llm-jp-corpus-v4-ja_patent huggingface dataset:
(57)【要約】【課題】磁極位置の検出精度がよく小形高性能かつ制御性のよいＤＣブラシレスモータを提供する。【解決手段】固定子１と空隙を介して対向するマグネット３の主着磁部にスキュー着磁を施すとともに、磁極位置検出素子８と空隙を介して対向する部位にストレート着磁を施し、スキュー着磁部とストレート着磁部とをマグネット３の同一外周面上に形成するため、コギングトルクの抑制と磁極位置の検出精度の確保が同時にでき、小形高性能かつ制御性のよいブラシレスモータを得ることができる。【選択図】図１
2006158034.tif 000002
【特許請求の範囲】
【請求項１】
複数相の駆動コイルからなる固定子に空隙を介して回転自在に保持されたマグネットと、該マグネットの磁極位置を検出する複数個の磁極位置検出素子とを備え、前記磁極位置検出素子の検出信号に基づいて前記駆動コイルを通電制御してなるＤＣブラシレスモータにおいて、前記マグネットの主着磁部にスキュー着磁を施すとともに、磁極位置検出素子と空隙を介して対向する部位にストレート着磁を施し、前記スキュー着磁部とストレート着磁部とを前記マグネットの同一面上に形成したことを特徴とするＤＣブラシレスモータ。
【発明の詳細な説明】
【技術分野】
【０００１】
本発明は、主着磁部にスキュー着磁を施したＤＣブラシレスモータの磁極位置検出に関する。
【背景技術】
【０００２】
従来、磁極位置検出素子のマグネット着磁は、固定子に対向するマグネット主着磁と異なる面に着磁を施すことが一般的に実施されている（例えば、特許文献１参照）。
【０００３】
また、固定子に対向する主着磁と磁極位置検出素子の着磁をマグネットの同一外周面上に施す場合は、ストレート着磁を施すことが一般的に実施されている。
【特許文献１】特開平９−８４３０６号公報
【発明の開示】
【発明が解決しようとする課題】
【０００４】
近年、マグネット性能の向上によりブラシレスモータ並びにそれに使用するマグネットは小型化しており、磁極位置検出素子を固定子に対向するマグネット主着磁と異なる端面方向に装着することが、スペース面で困難になっている。
【０００５】
一方、固定子に対向する主着磁と磁極位置検出素子の着磁をマグネットの同一外周面にストレート着磁を施した場合は、コギングトルク（マグネット磁束と固定子鉄心間の磁路の変化により発生するトルク）が大きくなり、制御性が悪くなる欠点があった。
【０００６】
このコギングトルクを低減するため、主着磁と磁極位置検出用着磁をマグネットの同一外周面上にスキュー着磁を施すとコギングトルクの低減は図れるものの、複数の磁極位置検出素子の装着位置が軸方向にずれた場合には、磁極位置の検出精度が悪くなり制御性が悪くなる欠点があった。
【０００７】
本発明は上記従来の課題を解決するものであり、磁極位置の検出精度がよく小形高性能かつ制御性のよいＤＣブラシレスモータを提供することを目的とする。
【課題を解決するための手段】
【０００８】
上記課題を解決するために本発明は、複数相の駆動コイルからなる固定子に空隙を介して回転自在に保持されたマグネットと、該マグネットの磁極位置を検出する複数個の磁極位置検出素子とを備え、前記磁極位置検出素子の検出信号に基づいて前記駆動コイルを通電制御してなるＤＣブラシレスモータにおいて、前記マグネットの主着磁部にスキュー着磁を施すとともに、磁極位置検出素子と空隙を介して対向する部位にストレート着磁を施し、前記スキュー着磁部とストレート着磁部とを前記マグネットの同一面上に形成したことを特徴とするＤＣブラシレスモータである。
【発明の効果】
【０００９】
本発明のＤＣブラシレスモータによれば、複数の磁極位置検出素子間の装着位置が軸方向にずれても磁極位置検出素子と対向する部位はストレート着磁を施しており、磁極位置の検出精度を確保できる。また、主着磁部にスキュー着磁を施すため高磁束密度の磁石を用いてもコギングトルクを抑制できる。
【００１０】
このため、コギングトルクを抑制しながら磁極位置の検出精度を確保することができ、小形高性能かつ制御性のよいＤＣブラシレスモータが得られる。
【発明を実施するための最良の形態】
【００１１】
本発明のＤＣブラシレスモータは、複数相の駆動コイルからなる固定子に空隙を介して回転自在に保持されたマグネットと、該マグネットの磁極位置を検出する複数個の磁極位置検出素子とを備え、前記磁極位置検出素子の検出信号に基づいて前記駆動コイルを通電制御してなるＤＣブラシレスモータにおいて、前記マグネットの主着磁部にスキュー着磁を施すとともに、磁極位置検出素子と空隙を介して対向する部位にストレート着磁を施し、前記スキュー着磁部とストレート着磁部とを前記マグネットの同一面上に形成したものである。
【実施例１】
【００１２】
図１は本発明のＤＣブラシレスモータの断面図である。図１において、１は固定子、２はフレーム、３はネオジ系のマグネット、４はエンドブラケット、５は軸受、６はシャフト、７は回路基板、８は磁極位置検出素子である。
【００１３】
固定子鉄心の極歯部に巻回した駆動コイルを有する固定子１は、フレーム２内周部の所定位置に圧入固定される。マグネット３はシャフト６の所定位置に接着固定されており、マグネット３の外周部と固定子１の鉄心内周部は、フレーム２の両端開口部に配置したエンドブラケット４および装着された軸受５によって、ラジアルギャップが均一になるようにシャフト６を回転自在に保持する。
【００１４】
また、固定子１に固定された回路基板７には、磁極位置検出素子８がマグネット３の外周面と空隙を介して配置され、例えば、同心円上に電気角１２０度等間隔に３個配置される。磁極位置検出素子８は、マグネット３外周面の磁束変化から磁極位置を検出する。
【００１５】
このため、マグネット３の軸方向寸法は、固定子１の積層方向の寸法より長く設定している。
【００１６】
ここで、マグネットの着磁状態について図２を用いて説明する。図２において、マグネット３の同一外周面上の着磁状態を図示したもので、固定子１と対向する主着磁部にはスキュー着磁を施している。スキュー着磁のため高磁束密度の磁石を用いることが可能となり、コギングトルクの低減を図りながらモータの小形化ができる。
【００１７】
また、磁極位置検出素子８と対向する部位はストレート着磁を施しており、磁極位置検出素子が軸方向にばらついて取付けられても正確な位置検出が可能となる。
【００１８】
このように、スキュー着磁部とストレート着磁部とをマグネットの同一外周面上に形成したので、コギングトルクの抑制と磁極位置の検出精度の確保が同時にでき、小形高性能かつ制御性のよいブラシレスモータを得ることができる。
【産業上の利用可能性】
【００１９】
本発明のＤＣブラシレスモータは、低振動で制御性を必要とする用途などに有用である。
【図面の簡単な説明】
【００２０】
【図１】本発明の実施例１におけるＤＣブラシレスモータの断面図
【図２】本発明の実施例１おけるマグネットの着磁状態の説明図
【符号の説明】
【００２１】
１  固定子
２  フレーム
３  マグネット
４  エンドブラケット
５  軸受
６  シャフト
７  回路基板
８  磁極位置検出素子
【図１】
2006158034.tif 000003
【図２】
2006158034.tif 000004
(57)【要約】【課題】  塩を盛る時、透明のプラスティックまたはその他の材質で、円錐型の専用容器に塩を入れる事により、塩の入った容器そのものを盛塩とする。【解決手段】  透明のプラスティックまたはその他の材質で、円錐型、上底かつ裏蓋つきの容器を作り、更に専用の受け皿にはめ込む。【選択図】    図２
2006158575.tif 000002
【特許請求の範囲】
【請求項１】
透明のプラスティックまたはその他の材質による、円錐型の底に蓋をつけ、取り外しの受け皿付き盛塩容器。
【発明の詳細な説明】
【技術分野】
【０００１】
本発明は、風水、神事又は玄関の角口の清め等に使用する盛塩に用いる。
【背景技術】
【０００２】
従来は、単に塩を盛るのみであるがため、形が整わない、異る場所に移動出来ない、湿気を帯びやすい、塩が汚れる、後片ずけに困る、塩が使えなくなるといった欠点があった。
【発明の開示】
【発明が解決しようとする課題】
【０００３】
この改善策として、透明のプラスティックまたはその他の材質の専用容器を作ることである。
【課題を解決するための手段】
【０００４】
１、透明のプラスティックまたはその他の材質の円錐型の容器で、底に蓋を付ける。
２、取り外し出来る受け皿付きとする。
請求項１記載の盛塩容器。
【発明の効果】
【０００５】
この容器を盛塩として使用した場合、容器そのものを盛塩とするため、次の利点がある。
１、            円錐型の整った形である。
２、            どこへでも移動できる。
３、            湿気を帯びにくい。
４、            塩が汚れない。
５、            何度でも使用できる。
６、            誰にでも簡単にできる。
【発明を実施するための最良の形態】
【０００６】
盛塩容器に塩を入れ、裏蓋をし、受け皿にはめ込む。そのものを盛塩とする。
【図面の簡単な説明】
【０００７】
【図１】本発明の一実施例を示し、図３のＡ−Ａ断面図である。
【図２】本発明の一実施例を示す斜視図である。
【図３】本発明の一実施例を示す平面図である。
【図４】本発明の一実施例を示し、下からの斜視図である。
【符号の説明】
【０００８】
１    盛塩容器
２    盛塩容器の受け皿
３    盛塩容器の蓋
４    盛塩容器の底
【図１】
2006158575.tif 000003
【図２】
2006158575.tif 000004
【図３】
2006158575.tif 000005
【図４】
2006158575.tif 000006
(57)【要約】【課題】ゴム素材の柔らかな、また風船の中に入れる空気の容量によって弾力も調節できる特徴を利用して、身体障害者や高齢者、老若男女誰でもが、容易にリハビリやダイエットのための筋力トレーニングに使用する為には、一定期間持続して各個人に見合った安定した力をかけることが出来るということが必要である。しかしながら、従来の遊技等に用いるゴム風船の形状は、足や腕に挟んで力を入れた場合、楕円形は滑りやすく、また細長いものや動物等の形をしたものは適度の力を入れにくかった。【解決手段】ゴム風船１の側面に相対する１対のくぼみ２を付け、足や手等に挟み易く、又,力を加え易くする。【選択図】図１
2006158564.tif 000002
【特許請求の範囲】
【請求項１】
相対する２箇所にくぼみをつけ、足や腕に挟み易く、力を入れ易くしたことを特徴とするゴム風船。
【発明の詳細な説明】
【技術分野】
【０００１】
この発明は、ゴム風船の形状に関する。
【背景技術】
【０００２】
従来のゴム風船の形状は、楕円形や棒状・動物形等遊技に使用される目的のものである。
【発明の開示】
【発明が解決しようとする課題】
【０００３】
しかしながら、簡単なリハビリやダイエット等の使用目的とすると、以上の技術によれば、ゴム風船を足や腕に挟んで力を入れた場合、滑り落ちやすく力も入れにくかった。
そこで、この発明は、足や腕に挟んで力を入れ易くし、各部位の筋力付けを提供することを課題とする。
【課題を解決するための手段】
【０００４】
以上の課題を解決するために、第一発明は、相対する２箇所にくぼみを付け、足や腕に挟んで力を入れ易くしたことで、各部位の筋力を付けることを特徴とするゴム風船である。
【発明の効果】
【０００５】
第一発明によれば、相対する２箇所にくぼみをつけたことで、足や腕に挟み易くなり、力も入れ易くなるので、それぞれの部位の筋力付けが容易にできる。
【発明を実施するための最良の形態】
【０００６】
この発明の一実施形態を、図１に示す。
ゴム風船の本体１はゴム製であり、この本体１の両側面には１対のくぼみ２が付けられている。
【０００７】
「実施形態の効果」
この実施形態によれば、くぼみ２の働きで、足や腕に挟んで力を入れたときに滑りにくく、力の入れ具合も安定する。
【０００８】
「他の実施形態」
【図面の簡単な説明】
【０００９】
【図１】この発明の一実施形態を示す斜視図である。
【図２】従来技術を示す斜視図である。
【符号の説明】
【００１０】
１  ゴム風船本体            ２  くぼみ
【図１】
2006158564.tif 000003
【図２】
2006158564.tif 000004
(57)【要約】【課題】現実世界の時間的、肉体的制約のため、テレビゲーム、ビデオゲーム、パソコンゲーム、オンラインゲーム、オンラインシステムその他の仮想の空間、世界を持つ遊具、トレーニング機器その他実用・遊戯機器の利用に際し、利用者は充分な量、種類または質の仮想通貨及び各種仮想物を取得することができず、その仮想空間・世界における利便が害されている。【解決手段】利用可能な全てのアイテム生成・取得手段を駆使し、駆使させまたは自己以外の者がこれらの方法により得たものを取得することによりそれらの仮想通貨及び仮想物を得て、これを利用者に提供する。【選択図】図１
2006158899.tif 000002
【特許請求の範囲】
【請求項１】
テレビゲーム、ビデオゲーム、パソコンゲーム、オンラインゲーム、オンラインシステムその他の仮想の空間、世界を持つ遊具、トレーニング機器その他実用・遊戯機器において、その仮想空間・世界における仮想通貨及び各種仮想物を生産・取得し、それを利用者に販売、譲渡、引渡するという、当該生産・取得・販売・譲渡・引渡の一連の過程。
【発明の詳細な説明】
【技術分野】
【０００１】  本発明は、テレビゲーム、ビデオゲーム、パソコンゲーム、オンラインゲーム、オンラインシステムその他の仮想の空間、世界を持つ遊具、トレーニング機器その他実用・遊戯機器の利用者の利便を図るサービス内容及びその提供形態に関する。
【背景技術】
【０００２】従来、各種ゲームやトレーニング機器、実用・遊戯機器において、利用者がその仮想の空間や世界において、一定の仮想通貨、仮想物（剣、魔法、防具、召喚獣、武器技術、魔法技術）を得るためには、利用者自らその仮想空間または世界における一定の課題（モンスターと戦って勝つ、秘法を用いて精製・製造・合成する、謎を解く、宝箱等を探して取得する等）を達成する他なかった。【０００３】しかし、自然人の時間及び体力は有限であり、年齢、職業、性別を問わず、その仮想空間・世界で自己が望む量、種類または質の仮想通貨及び各種仮想物を取得することは多分に困難である。【０００４】なお、本願発明に関連する公知の技術について記された特許文献及び非特許文献はみうけられない。
【発明の開示】
【発明が解決しようとする課題】
【０００５】  上記の如く、現実世界の時間的、肉体的制約のため、利用者は充分な量、種類または質の仮想通貨及び各種仮想物を取得することができず、その仮想空間・世界における利便が害されている。またそれが大きな心理的・精神的なストレスとなるケースもある。さらに、利用者の中には現実世界での様々な挫折、困難、絶望等の理由により、その自己の現実の生活に意義や価値を見出すことができず、仮装空間・世界での活動・成果こそが自己のアイデンティティ、生き甲斐、存在理由となっているケースもしばしば見受けられる。このような現状から、自己が望む充分な量、種類または質の仮想空間・世界における仮想通貨及び各種仮想物等を取得する上で、その現実世界の時間的、肉体的制約を克服するための手段・方法の発明は、その利用者が共通して望む技術である。
【課題を解決するための手段】
【０００６】テレビゲーム、ビデオゲーム、パソコンゲーム、オンラインゲーム、オンラインシステムその他の仮想の空間、世界を持つ遊具、トレーニング機器その他実用・遊戯機器の、その仮想の空間、世界における、アイテムの合成・鍛冶・裁縫・釣り・モンスターを倒す・モンスターから盗む・モンスターを倒したあとにそのモンスターが落としたものを拾う等その他利用可能な全てのアイテム生成・取得手段を駆使し、駆使させまたは自己以外の者がこれらの方法により得たものを取得することによりそれらの仮想通貨及び仮想物を得て、これを利用者に提供する。
【発明の効果】
【０００７】利用者が、現金、ウェブマネーその他の決済方法により現実世界の通貨または現金等価物及びなんらかの物と仮想世界の通貨及び物を売買または交換することが可能となる。これにより利用者の仮想空間・世界における利便を図ることができると同時に仮想空間の生活を豊かにすることができる。
【発明を実施するための最良の形態】
【０００８】現金・銀行振込・郵便振替・郵便為替・切手・ウェブマネー・ポイントサービス・クレジットカード決済等利用可能な決済方法を用いて、対象になる仮想空間・世界の通貨または物との売買または交換を行う。
【産業上の利用分野】
【０００９】家庭用ゲーム機、パソコンゲーム、オンラインゲーム、ソフトウェアサービス、遊戯機器その他仮想の空間・世界を持つすべての機器またはサービス
【図面の簡単な説明】
【００１０】図１  本ビジネスモデルの模式図である。
【図１】
2006158899.tif 000003
(57)【要約】【課題】雨に濡れた傘を畳んで室内に入室する場合、雨に濡れた傘に使い捨ての袋カバ−か、別に専用の携帯用袋カバ−を使用するタイプがあり、使い捨て袋カバ−の使用後はごみとなり、専用の携帯用袋カバ−を使用した場合では、濡れた携帯用袋カバ−を持ち歩く事となり、袋カバ−に溜まった雨水を簡単に排出できない。【解決手段】雨に濡れた傘を持ち室内に入室する場合、傘の石突部分（１）を挿入する連結筒の底部キャップ（５）を開け、傘カバ−（３）を繰り出し、傘（６）の全体を覆い外部に雨水を漏らす事がなく、室内から外出する時に、傘（６）を使用する前に傘カバ−（３）を引き上げる事により、スプリング（４）を伸張させて、傘カバ−内部に溜まった雨水を排出させてから収納する事により、手を濡らす事無く傘カバ−（３）の出し入れをする事が出来る雨傘カバ−入り連結筒で解決する。【選択図】図１
2006158895.tif 000002
【特許請求の範囲】
【請求項１】
傘（６）の石突部分（１）を挿入する連絡筒（２）と、傘（６）全体を覆う傘カバ−（３）の下端開口部とを伸縮可能なスプリング（４）で連結し、そして傘カバ−（３）を引き上げる事により、スプリング（４）を伸張させて、傘カバ−（３）内に溜まった雨水を排出させるキャップ（５）付きの排出口を傘カバ−（３）底部に備えた事を特徴とする雨傘カバ−入り連結筒。
【発明の詳細な説明】
【技術分野】
【０００１】本発明は、雨天に使用する雨傘、特に傘のいしづき部分より袋カバ−を随時繰り出せカバ−内部に溜まった雨水を排出する連結筒に関する。
【背景技術】
【０００２】従来の市販されている雨傘には、別に袋カバ−を付帯させたものが多く、使用時には袋カバ−は不要となるので、かばんにしまっておいたり、ポケットにしまっておき、そして袋カバ−を携帯していて紛失したりすることが間々あり、またス−パ−等で専用の使い捨てビニ−ル袋に入れておき使用終了時はごみになっている現状で、雨天の際に濡れた傘を畳んで裸のまま混雑した乗り物に乗り込んだり、室内に入室した場合、いちいち袋カバ−をすれば良いのだが、すぐまた傘をさす場合には面倒であり、また備え付けの袋カバ−はもともと傘を乾かして収納しておく場合に使用するものであるから、濡れたままの傘を納めるには抵抗感が伴う。
【発明の開示】
【発明が解決しようとする課題】
【０００３】現在、雨に濡れた傘を畳んで乗り物に乗車したり、室内に入室する場合、濡れた傘で他人の衣服等を濡らしてしまい迷惑を詫びる事等があり、対策として雨に濡れた傘にス−パ−等で使用する使い捨ての袋カバ−か、別に専用の携帯用袋カバ−を使用するタイプがあるが、袋カバ−に雨水が溜まったままの状態になっていて、ス−パ−等で使用する袋カバ−は使用後は濡れたままの袋がごみになるか、専用の携帯用袋カバ−を使用した場合では、濡れたままの携帯用袋カバ−を持ち歩かなければならない事となり、袋カバ−に溜まった雨水を排出できる雨傘カバ−入り連結筒を提供する。
【課題を解決するための手段】
【０００４】上記目的を達成するため、本発明は雨に濡れた傘を持ち乗り物に乗車したり、室内に入室する場合、傘の石突部分（１）を挿入する連結筒の底部キャップ（５）を開け、傘カバ−（３）を繰り出し、傘（６）の全体を覆い外部に雨水を漏らす事がなく、乗り物から下車したり、室内から外出する時に、傘（６）を使用する前に傘カバ−（３）を引き上げる事により、スプリング（４）を伸張させて、傘カバ−内部に溜まった雨水を排出させてから収納する事により、手を濡らす事無く傘カバ−（３）の出し入れをする事が出来る雨傘カバ−入り連結筒で解決する。
【発明の効果】
【０００５】本発明は以上のようで、傘本体に取り付いているので傘カバ−を携帯しなくてもよく、ス−パ−等で備え付けの使い捨ての傘を入れる袋を使用する必要もなく、いつにてもどこにても濡れた傘を簡単に覆って周囲に迷惑を掛けないで済み、しかも備え付けの使い捨ての傘を入れる袋のようにごみになる事もなく、これまでにない環境に配慮した発明であり、溜まった雨水も簡単に排出出来るので、手が濡れるなどの不快な思いをする事がなくなり、また、傘としての外観もこれまでと概略変わらないのでデザイン性にも問題ない。
【発明の実施するための最良の形態】
【０００６】図１において、傘の石突部分（１）を挿入する連結筒と、傘（６）全体を覆う傘カバ−を下端開口部のキャップ（５）を開き、傘カバ−（３）を取り出し、傘（６）本体に覆い、傘カバ−（３）を引き上げる事により、スプリグ（４）を伸張させて、傘カバ−（３）内に溜まった雨水を排出させ、傘カバ−（３）を下端開口部より収納し、キャップ（５）を閉じる事で、手を濡らす事なく傘カバ−（３）を出し入れ出来る雨傘カバ−入り連結筒。
【図面の簡単な説明】
【図１】本考案の１実施例を示す雨傘カバ−入り連結筒の断面図
【図２】本考案の１実施例を示す雨傘カバ−入り連結筒の拡大断面図
【図３】本考案の雨傘カバ−入り連結筒の正面図
【符号の説明】
（１）傘の石突部分
（２）連結筒
（３）傘カバ−
（４）スプリング
（５）キャップ
（６）傘
【図１】
2006158895.tif 000003
【図２】
2006158895.tif 000004
【図３】
2006158895.tif 000005
(57)【要約】【課題】従来、床や畳に敷かれた布団上の就寝者が起き上がる際に使用する器具は、軽量で取り外しが容易な器具はなかった。また、これを杖などの他の用途にも用いることのできる器具もなかった。【解決手段】床や畳に敷かれた布団上の就寝者が起立する際に、多機能杖の把手部分を掴むことにより、腕、腹筋の負荷を軽減する。さらに、歩行時に多機能杖を固定部材から外して使用することにより、歩行時の負荷を軽減する。【選択図】  図１
2006158898.tif 000002
【特許請求の範囲】
【請求項１】
杖本体と、杖本体の中間部に設けられ側方から把持可能な補助把手とよりなる機能杖と、ベース体と、該ベース体に設けられ前記機能杖を着脱可能に立設させる立設機構と、前記ベース体から一側辺方向に設けられた固定板とよりなる固定部材とで構成され、前記固定板は布団の下に配設することで布団及び就寝者の重量で固定され立設された機能杖の補助把手をつかむことで起き上がる動作に耐えられるものであることを特徴とする多機能杖具。
【発明の詳細な説明】
【技術分野】
【０００１】  本発明は、床や畳に敷かれた布団上の就寝者が起き上がる際に、杖に設けた補助把手を握ることにより容易に起き上がることができる杖と、杖を支えるための立設機構とこれに接続されたベース体と布団の下に配設するための固定板からなる固定部材からなる、多機能杖具に関するものである。
【背景技術】
【０００２】  ベッドから起き上がる際はベッドの柵に捉まり、起き上がることができるが、床や畳に敷いた布団上の就寝者が起き上がる際に使用する器具は、軽量で取り外しが容易な器具はなかった。また、これを杖などの他の用途にも用いることのできる器具もなかった。
【発明の開示】
【発明が解決しようとする課題】
【０００３】  そのため、次のような問題点があった。
床や畳に敷いた布団から起き上がる際に手で捉まる把手が付いた適切な器具がないため、体を支えるために腕、腹筋に多くの力を要し、負担が多くかかっていた。
本発明は、以上の問題点を解決しようとするものである。
【課題を解決するための手段】
【０００４】  杖本体と、杖本体の中間部に設けられ側方から把持可能な補助把手とよりなる機能杖と、ベース体と、該ベース体に設けられ前記機能杖を着脱可能に立設させる立設機構と、前記ベース体から一側辺方向に設けられた固定板とよりなる固定部材とで構成され、前記固定板は布団の下に配設することで布団及び就寝者の重量で固定され立設された機能杖の補助把手をつかむことで起き上がる動作に耐えられるものであることを特徴とする多機能杖具である。
【発明の効果】
【０００５】  本発明は、床や畳に敷いた布団から起き上がる際に捉まる把手の付いた器具により腕や腰に入れる力を軽減させる。さらにこの器具を外しそのまま杖として歩行時に使用できる。
【発明を実施するための最良の形態】
【０００６】  以下、本発明の実施の形態を説明する。
本発明は、図１に示すように機能杖（１）と固定部材（３）で構成されたものである。
機能杖（１）は杖と杖に設けられた補助把手（２）とにより構成されるものである。図に示すように、杖は主軸と主軸の上端に横方向に延びた取っ手部とよりなるものである。この主軸の中間部に、把持ができるための補助把手（２）が複数取り付けられている。この際、補助把手（２）は上下対向する方向に伸びたものであり、手を入れ握るための開口部を形成するものである。
固定部材（３）は、ベース体（５）と、機能杖（１）が着脱可能な立設機構（４）と、ベース体（５）の一側辺方向に付けられた固定板（６）から構成される。
図においてベース体（５）は任意の厚さを有するものであり、中央部付近に立設機構として上面から下方に杖差込み孔が設けられたものである。この杖差込み孔は、前記機能杖（１）の下端形状に近似したものであり、できるだけ杖を差し込んだ状態で隙間を生じさせないものであることが望ましい。
固定板（６）は、図２に示すようにベース体底面と同じ高さの底面となったもので、体重付加に耐えられる強度の板形状のものであり、任意の布団に対して側方から差し込んだ際に少なくとも就寝者の身体下に届く大きさ形状となったものである。
本発明は、以上の構成よりなっている。
本発明を使用する際は、固定部材（３）に取り付けられた固定板（６）を布団（７）の下に配設し、布団（７）及び就寝者（８）の重量で固定部材（３）を動かないように固定する。機能杖（１）を固定部材（３）に取り付けられた立設機構（４）に取り付けて立て、図３に示すように就寝者（８）は起立する際に機能杖（１）の補助把手（２）を掴むことにより、腕、腹筋の負荷を軽減できる。さらに、歩行時に機能杖（１）を固定部材（３）から外して使用することにより、歩行時の負荷を軽減することができる。
【図面の簡単な説明】
【０００７】
【図１】  本発明の分解斜視図
【図２】  本発明の固定部材断面図
【図３】  本発明の使用状態図
【符号の説明】
【０００８】  １  機能杖
２  補助把手
３  固定部材
４  立設機構
５  ベース体
６  固定版
７  布団
８  就寝者
【図１】
2006158898.tif 000003
【図２】
2006158898.tif 000004
【図３】
2006158898.tif 000005
(57)【要約】【課題】ブーツの保管時の折れ曲がりを、簡単な構造扱いで形状を保護し、消臭乾燥の効果を得る。【解決手段】通気性を保つため格子状になったプラスチックの筒と、格子状の底面の構成体をブーツ内に挿入し、底面の上に消臭剤や乾燥剤をのせて使用する。【選択図】図１
2006158897.tif 000002
【特許請求の範囲】
【請求項１】
本発明体をプラスチックの格子状にすることで軽く十分な強度を得、なおかつ通気性を良くしブーツの型くずれを防ぐことが可能である。
【請求項２】
本発明体の底面に消臭剤、乾燥剤、吸湿剤のいずれかをのせるという簡単な取扱いでその目的を達成することができる。
【請求項３】
本発明体は簡単な構造のため、積み重ねて保存することができる。
【発明の詳細な説明】
【技術分野】
【０００１】本発明はブーツの形状保護に関するものである。
【背景技術】
【発明の開示】
【発明が解決しようとする課題】
【０００２】解決しようとする問題点は、柔らかい皮のブーツは使用しない時の折れ曲がりによるいたみと、悪臭が生じるなど保管が難しい点である。
【課題を解決するための手段】
【０００３】本発明は通気性を保持するため、格子状になったプラスチックの筒と底面のある構成体をブーツに挿入し、底面の上に消臭剤や乾燥剤をのせて使用するものである。
【発明の効果】
【０００４】取り扱いが簡単で、重ねてしまっておける利点がある。」
【発明を実施するための最良の形態】
【０００５】ブーツの形状を保つという目的を、簡単な樹脂成型で実現できる。
【実施例１】
【０００６】図１は本発明の実施例の側面図である。
【図面の簡単な説明】
【０００７】
【図１】側面図
【図１】
2006158897.tif 000003
(57)【要約】【課題】  ゲームや競技において参加者の技術指導をする際に、時間的場所的な制限を超えて、参加者と指導者が直接面会することなく、また指導者が直接競技をリアルタイムで観察することなく、実際に面会したより高度な技術指導ができる技術を提供する。【解決手段】  競技者が競技記録装置（１０）によって競技内容を記録し、競技記録送信装置（２０）によって、記録を送信し、指導者が競技再生装置（３０）によって、競技内容を再生しそれに基づき指導内容を記録し、再び送信装置（５０）によって指導内容を送信することで行う。【選択図】  図１
2006158900.tif 000002
【特許請求の範囲】
【請求項１】
競技の記録および再生装置、競技内容の送信装置、指導内容の記録装置から実現される、参加者と指導者が面会することなく指導者による競技の指導が可能となる競技の指導装置。
【請求項２】
請求項１において、指導者が指導するにあたって必要な競技内容が記録再生される競技の記録再生装置。
【請求項３】
コンピュータシステムに請求項１および請求項２に記載の方法を実行させるためのプログラム。
【請求項４】
請求項３に記載のプログラムを通信回線経由で送受信する電子計算機。
【請求項５】
請求項２において、競技の特長として競技中に競技者に知らせることができない情報について、指導に必要な情報を競技の際に記録し再生する装置。
【発明の詳細な説明】
【発明の詳細な説明】
【技術分野】
【０００１】  本発明は、参加者の競技内容が指導者が指導可能な状態で記録可能な競技およびゲームの技術に関する。
【背景技術】
【０００２】  従来の指導者による競技の指導においては、参加者と指導者が直接面会する必要があったり、通信を介した場合でも参加者と指導者が同時刻に通信を行う必要があった。
【発明が解決しようとする問題】
【０００３】  競技の参加者と指導者が直接面会する必要がある指導の場合、指導の場所を確保する必要があり、または両者が指導の場所まで実際に移動する必要がある。
【０００４】  また、通信を介して指導を行う場合は、通信手段によっては指導に必要十分な情報が参加者の競技内容について指導者に伝わらなかったり、また、参加者、指導者両者の時間的な予定を合わせる必要があった。
【０００５】  また、競技において競技中明らかになると競技の妨げになるような情報は、当然ながら競技中には指導者にも知らせることは出来ず、結果として総合的な指導ができない。
【課題を解決するための手段】
【０００６】  上記の課題を解決するべく、本発明では参加者の競技を指導可能な状態で記録し、競技を再生できる装置と、その記録を送受信する装置を組み合わせて構築することにより、参加者の競技記録を指導者が時間的空間的制限を超えて指導することができる。
【０００７】  実現するための手段としては、まず参加者自身の競技を記録し、記録物を指導者に送信する。指導者は、競技の記録をもとに競技に関して指導を行い、指導内容を記録する。最終的に指導者が指導記録を参加者に送信することで、参加者と指導者が実際に面会することなく、競技に関する指導を行うことができる。
【０００８】  上記を実現するにあたり、競技そのものをコンピュータなどで記録再生する装置を実現したり、または、競技そのものをコンピュータの中で行い、競技時には参加者に見えなかった情報も記録することができる。そのことにより、競技者には、実際に競技を観察するよりも多くの情報を指導時に見ることができ、より詳細な指導を行うことができる。
【０００９】  また、本発明によれば上記の方法をコンピュータシステムに実行させるプログラムやデータを記録したコンピュータ読み取り可能な記録媒体を提供することができる。
コンピュータ読み取り可能な記録媒体として、例えば、光記録媒体（ＣＤ−ＲＯＭ、ＤＶＤ−ＲＯＭ、ＤＶＤ−ＲＡＭ、ＤＶＤ−Ｒ、ＤＶＤ＋Ｒ、ブルーレイディスク、ＰＤディスク、ＭＤディスク、ＭＯディスク等の光学的にデータの読み取りが可能な記録媒体）や、磁気記録媒体（フレキシブルディスク、磁気カード、磁気テープ等の磁気的にデータの読み取りが可能な記録媒体）、或いは、半導体メモリ（ＤＲＡＭ等）や光メモリ等の記憶素子を備えたメモリカートリッジ等の可搬性記録媒体の他に、コンピュータ内部或いはメモリカード等に設けられる内部記憶装置、或いはハードディスクのような外部記憶装置等がある。
【００１０】（ネットワークへの拡張）
また、これらの記録媒体を通信回線に接続し、通信回線を介してプログラムを提供することができる。
【発明を実施するための最良の形態】
【００１１】  以下、各図を参照して本実施形態について説明する。【００１２】  図１は本発明の機能ブロック図である。同図において、競技記録装置（１０）にて競技の参加者は、競技をプレイし記録する。記録内容は、競技の指導者が競技を指導するにあたり必要な情報だけでなく、競技中明らかになると競技の妨げになるような情報も記録することができる。次に参加者は、競技記録を競技記録送信装置（２０）を用いて送信する。【００１２】  次に競技の指導者は、競技記録を受信し、競技再生装置（３０）を利用して競技記録を再生する。競技記録再生装置については、競技内容だけでなく、競技中明らかには出来なかった情報なども記録されているため、それらを総合的に判断し、競技内容を指導内容記録装置（４０）によって、記録する。次に指導者は、指導内容送信装置（５０）を用いて、指導内容を参加者に送信する。
【実施例】
【００１３】  以下、本発明の実施例を説明する。【００１７】  本発明を、インターネット麻雀荘に用いた場合、以下のような処理を行う。麻雀の試合の全ての記録となる牌譜をコンピュータ内に保存し、その牌譜を麻雀の指導者に送る。指導者は、麻雀の試合内容について、牌譜より再生し麻雀の診断を行う。麻雀の診断をする際には、試合中は参照できない他のプレイヤーの情報である手牌の情報や、未来に手に入る情報である牌山の情報なども参照することができ、診断の際により的確な麻雀指導をすることが出来る。その指導結果である麻雀診断結果をゲームの利用者に送ることにより、実際に試合に参加したり、面会することなく、麻雀の指導を行うことが出来る。【００１８】  本発明は、狭義における競技以外にも、例えば、コンピュータの操作に関して教える学校や、麻雀教室、等にも利用可能である。
【発明の効果】
【００１９】  本発明によれば、時間的、空間的な制約を超えて参加者が、競技の指導について指導者に指導してもらうことが可能になり、指導を受けたり指導サービスを提供する際の利便性や効率が飛躍的に向上する。
【図面の簡単な説明】
【図１】本発明の構成ブロック図である。
【符号の説明】
１０…競技記録装置、２０…競技記録装置、３０…競技再生装置、４０…指導内容記録装置、５０…指導内容送信装置
【図１】
2006158900.tif 000003
(57)【要約】【課題】  笛口付き飛行ゴム風船に、吹流し状装飾物を取り付けて共に飛行させ、吹流し状装飾物が風などにあおられ様々に揺らめく事により、大音を発して飛ぶ笛口付き飛行ゴム風船の音響的娯楽演出効果に、視覚的娯楽演出効果を付加させる。且つ、かかる笛口付き飛行ゴム風船用吹流し状装飾物の笛口付き飛行ゴム風船への取り付けは、実用の笛口付き飛行ゴム風船への改造等を要さず、容易である笛口付き飛行ゴム風船用吹流し状装飾物。【解決手段】笛口付き飛行ゴム風船用吹流し状装飾物の任意の部位に、笛口付き飛行ゴム風船の笛口部外径よりも口径の小なる穴部を一箇所或は数箇所設け、この穴部に笛口付き飛行ゴム風船のゴム風船部分を通して該吹流し状装飾物と笛口付き飛行ゴム風船とを接合させ、共に飛行させる事ができる笛口付き飛行ゴム風船用吹流し状装飾物。【選択図】図１
2006158861.tif 000002
【特許請求の範囲】
【請求項１】
笛口付き飛行ゴム風船に取り付ける、任意の幅と長さを有する紙あるいはフィルムからなる、一枚或は複数枚の帯状体で構成された笛口付き飛行ゴム風船用吹流し状装飾物。
【請求項２】
前記の吹流し状装飾物は、その任意の部位に笛口付き飛行ゴム風船の笛口部外径よりも口径の小なる穴部を一箇所或は数箇所設け、この穴部に笛口付き飛行ゴム風船のゴム風船部分を通して笛口付き飛行ゴム風船と吹流し状装飾物とを接合させ、共に飛行せしめる事を特徴とする請求項1記載の笛口付き飛行ゴム風船用吹流し状装飾物。
【発明の詳細な説明】
【技術分野】
【０００１】
本発明は、笛口付き飛行ゴム風船に取り付ける吹流し状装飾物に関するものである。
【背景技術】
【０００２】
笛口付き飛行ゴム風船は大音を発しながら風船が飛行する事により、風船の娯楽性を音響的に高めた物であり、広く実用されている。
【特許文献１】無し
【非特許文献１】無し
【発明の開示】
【発明が解決しようとする課題】
【０００３】
解決しようとする問題点は、笛口付き飛行ゴム風船の持つ音響的娯楽演出効果に、視覚的娯楽演出効果を付加しようとするものである。
【０００４】
しかし、ゴム風船本体の材質は粘着剤や接着剤の直接使用に適さず、これら溶剤の凝固作用により破裂しやすい為、装飾物の取り付けは困難である。
【０００５】
また、専用の取り付け部品の製造には、相応の費用が掛かる為、笛口付き飛行ゴム風船用装飾物が普及する上での障害となっている。
【課題を解決するための手段】
【０００６】
本発明は、笛口付き飛行ゴム風船に、紙あるいはフィルム等からなる吹流し状の装飾物を取り付けて飛行させる事により、笛口付き飛行ゴム風船の音響的効果に加えて視覚的娯楽性をも高める事を特徴とする、笛口付き飛行ゴム風船用吹流し状装飾物である。
【０００７】
また本発明は、笛口付き飛行ゴム風船用吹流し状装飾物に、一個所或は数箇所の笛口付き飛行ゴム風船のゴム風船部分を通す穴部を設ける事により、笛口付き飛行ゴム風船本体に粘着剤や接着剤を塗布或は貼付けたり、或は専用に形成された付属品等を取り付けたりする事無く、笛口付き飛行ゴム風船に吹流し状装飾物を容易に取り付けられる事を特徴とする笛口付き飛行ゴム風船用吹流し状装飾物である。
【発明の効果】
【０００８】
本発明の笛口付き飛行ゴム風船用吹流し状装飾物は、大音を発して飛行する笛口付き飛行ゴム風船に接合して、吹流し状装飾物が気流に流されて様々に揺らめく事で、視覚的娯楽演出効果を得る事が出来る。
【０００９】
本発明の笛口付き飛行ゴム風船用吹流し状装飾物は、笛口付き飛行ゴム風船自体を改造する事無く、吹流し状装飾物の形状により、容易に笛口付き飛行ゴム風船に取り付けられるので、実用されている笛口付き飛行ゴム風船に対して、広く利用出来る利点がある。
【発明を実施するための最良の形態】
【００１０】
吹流し状装飾物の任意の位置に笛口付き飛行ゴム風船の笛口部外径より小なる口径の穴部を一箇所或は数箇所設け、この穴部に笛口付き飛行ゴム風船のゴム風船部分を通す。
【００１１】
吹流し状装飾物の穴部が笛口付き飛行ゴム風船の笛口部分に引っ掛る事で、吹流し状装飾物と笛口付き飛行ゴム風船とが接合された状態となり、この状態を維持したまま笛口付き飛行ゴム風船に空気を充填して、共に飛行せしめる事が出来る。
【００１２】
笛口付き飛行ゴム風船に取り付けられた吹流し状装飾物が、風などにあおられて様々に揺らめきながら飛行するので、笛口付き飛行ゴム風船の発する大音と相まって、高い娯楽的演出効果を得る事が出来る。
【実施例１】
【００１３】
図１は、笛口付き飛行ゴム風船に、ゴム風船部分通し用穴部を２箇所有する吹流し状装飾物を取り付けた実施例である。
【００１４】
図２は、笛口付き飛行ゴム風船に、ゴム風船部分通し用穴部を１箇所有する吹流し状装飾物の接合部分詳細図である。ゴム風船本体ｂの空気注入口ｄに、ゴム風船の収縮力を利用して笛口部cを取り付けたものが実用の笛口付き飛行ゴム風船である。この笛口付き飛行ゴム風船のゴム風船本体ｂを吹流し状装飾物aに設けられた穴部eに通し、笛口部c付近の任意の位置に吹流し状装飾物aを留める。穴部eの口径は笛口部cとその外側に密着するゴム風船本体bの空気中入口ｄの外径よりも小さい為、穴部eを有する吹流し状装飾物aは笛口付き飛行ゴム風船から外れる事無く、接合した状態で飛行する事が出来る。
【図面の簡単な説明】
【００１５】
【図１】笛口付き飛行ゴム風船のゴム風船部分を通す為の穴部を二箇所設けた吹流し状装飾物を取り付けた実施方法を示した説明図である。（実施例１）
【図２】笛口付き飛行ゴム風船のゴム風船部分を通す為の穴部を一箇所設けた吹流し状装飾物を取り付けた実施方法を示した説明図である。
【図３】笛口付き飛行ゴム風船のゴム風船部分を通す為の穴部を一箇所設けた吹流し状装飾物の、形状例を示した説明図である。
【図４】笛口付き飛行ゴム風船のゴム風船部分を通す為の穴部を二箇所設けた吹流し状装飾物の、形状例を示した説明図である。
【図５】笛口付き飛行ゴム風船のゴム風船部分を通す為の穴部を一箇所設けた吹流し状装飾物の、形状例を示した説明図である。
【符号の説明】
【００１６】
a    吹流し状装飾物
b    笛口付き飛行ゴム風船のゴム風船本体
c    笛口部
d    ゴム風船本体空気中入口
e    吹流し状装飾物aに設けられた穴部分
【図１】
2006158861.tif 000003
【図２】
2006158861.tif 000004
【図３】
2006158861.tif 000005
【図４】
2006158861.tif 000006
【図５】
2006158861.tif 000007
(57)【要約】【課題】    部屋内部の壁や柱、天井等を傷つけることなく収納家具の転倒防止対策 を施す。【解決手段】  ネジ切り棒の端に板を受け止めるための金具を接続し、それを収納家具の天板に埋め込んだ鬼目にねじ込み、その上から天井に押し当てるための板を被せる。そのネジの上下調節によって板を押し上げ、板と天井との摩擦力をもって転倒防止の効果とする。且つ、長期間使用し続けた収納家具が自重などにより沈み込んでも、金具内部のバネの効果によってつっぱり状態を維持する。【選択図】図１
2006158809.tif 000002
【特許請求の範囲】
【請求項１】
バネ受けの頂点部にネジ切り棒が接続されており、バネ受けの内部にバネを装着した金具をつっぱって板を天井に押し当て、その摩擦にて転倒を防止するバネ式突っ張り家具転倒防止装置
【発明の詳細な説明】
【技術分野】
【０００１】
本発明は、家具の転倒防止に関するものである。
【背景技術】
【０００２】
図５のように従来の収納家具の転倒防止対策は壁面や柱、鴨居、天井にネジ等を使いＬ型の転倒防止金具12を取り付けて転倒防止をはかっている。また収納家具と天井との間に突っ張り棒をかますだけで転倒防止をはかっているものもある。
【特許文献１】登録実用新案第３０１５１８０号
【発明の開示】
【発明が解決しようとする課題】
【０００３】
従来の技術で述べたもののうち前者の金具12においては設置する場所によっ ては木ネジ等が使えない場合があり転倒防止策が施せない場合がある。また後者の突っ張り棒においては、収納家具に物を収納した場合や長期間使用した場合、自重による沈み込みで天井と天板面が離れ摩擦抵抗がなくなり転倒する危険がある。さらに天井との接合面積が小さいため、強度の弱い天井などでは機能を果たせない。
【課題を解決するための手段】
【０００４】
バネ受けの頂点部にネジ切り棒が接続されており、バネ受けの内部にバネを装着した金具を突っ張って板を天井に押し当て、その板と天井との摩擦によって転倒を防止する。
【発明の効果】
【０００５】
バネ式突っ張り転倒防止金具を用いるために、壁面および柱、鴨居、天井等に木ネジを埋め込む必要性をなくし、かつ重量による収納家具の沈み込みに対しても天井部での摩擦抵抗を維持し続けられるという利点がある。
【０００６】
収納家具と天井の隙間を埋めるための、ラセン状のネジ切り棒の長さを調整することにより任意の天井高に対応することが可能であり、かつ天井と床を直接接続することができるため天井まである背の高い収納家具を提供できるものである。
【発明を実施するための最良の形態】
【０００７】
図１のように収納家具11の天板7に天井9まで届く金具Bを装着し、その金具Bのネジ調整と、付随したバネ5の反発によって滑り止め用の板8を天井9に押し当て、突っ張りとする。
【実施例】
【０００８】
図２，３において金具A,Bは鋼製でできており、ネジ切り棒3にはラセン状の溝が切ってある。さらにネジ切り棒の先端はバネ受け1に接続され、逆の先端4はドライバーを使用するための形状になっている。
【０００９】
図３において、収納家具11の天板である7にネジ切り棒3を受けるための鬼目6を埋め込む
【００１０】
図３において、金具Aのバネ受け1内部にバネ5を装着したものである転倒防止金具Bを、収納家具11の天板7に埋め込んだ鬼目6にねじこむ。
【００１１】
図１において、転倒防止金具Bをうけるための窪みがあいた天井固定板8を、真上からかぶせる。
【００１２】
図４において、ドライバー10を用いてネジ切り棒3で上下調整をすることにより、金具Bは天井固定板8を押し上げ、天井面9との摩擦抵抗を生み出しているものである。
【００１３】
また金具Bに装着されたバネ5の反発力により天井固定板8は常に天井に押し上げられ天井9と天井固定板8の圧着面に摩擦抵抗を発生させ、さらに摩擦抵抗を 維持し続けている。
【符号の説明】
【００１４】
A  金具A
B  本考案金具B（金具A+バネ）
1  バネ受け
2  バネ受けとネジ切り棒接続部
3  ネジ切り棒
4  ネジ切り棒先端ドライバー操作部
5  バネ
6  鬼目
7  収納家具の天板
8  天井固定板
9  天井
10  ドライバー
11  収納家具
12  Ｌ型店頭防止金具
【図面の簡単な説明】
【００１５】
【図１】本考案金具Ｂの使用例斜視図である。
【図２】金具Ａの斜視図である。
【図３】本考案金具Ｂの使用断面図である。
【図４】本考案金具Ｂの作用時断面図である。
【図５】本考案以外の参考金具12の使用例である。
【図１】
2006158809.tif 000003
【図２】
2006158809.tif 000004
【図３】
2006158809.tif 000005
【図４】
2006158809.tif 000006
【図５】
2006158809.tif 000007
(57)【要約】【課題】  地震などの不意の作用によって、扉などの前面を覆うものがない書棚に収められた本が転落するのを防止するための汎用部品として、容易に書棚に取付け可能で、十分な強度を持ち、且つそれによって本の出し入れが妨げられることのないこと。【解決手段】  本の転落を十分支えうる強度をもち両端がクランク状に曲がった左右対称の棒（ブックガード）を、一般的な書棚の側板には加工されているであろうと予想される可動棚を受けるための棚ダボ差込み穴に両端を差込む。この書棚並んでる本が地震などによって転落しようとしたとき、ブックガードが前方に倒れている状態であれば、本の上部がブックガードに引っかかって転落を防止する。【選択図】図３
2006158808.tif 000002
【特許請求の範囲】
【請求項１】
両端がクランク状に曲げられ本の転落を十分支えうる強度をもったレールを書棚の棚ダボ差込み穴に渡し、レールを回転させると凸部が上下する耐震書籍転落防止具
【発明の詳細な説明】
【技術分野】
【０００１】
本発明は本の書棚からの転落防止する部品に関するものである。
【背景技術】
【０００２】
従来は書籍の横倒れ防止、または書棚自体の転倒防止金具等は見受けられたが、扉など前面を覆うものがないオープン式の書棚の内容物が地震などの強い揺れによって飛び出して転落してくるのを防ぐ考案物は無かった。または汎用的ではなかった。
【特許文献１】特開平09-047328
【発明の開示】
【発明が解決しようとする課題】
【０００３】
本の書棚からの転落を防止する汎用部品として、容易に書棚に取付け可能で、十分な強度を持ち、且つそれによって書籍の出し入れが妨げられることのないこと。
【課題を解決するための手段】
【０００４】
書棚の棚ダボ差込み穴（一般的な書棚に付属する可動式の棚を下で支えるためのダボを取り付けるための側板にあけた左右対称の穴）に両端がクランク状に曲げられた鉄のレール（以下"ブックガード"と呼ぶ）を渡して、レールが回転したとき凸部が弧を描ようにする。
【発明の効果】
【０００５】
扉などの前面を覆うものがない書棚に収められた本が、地震などの不意の作用によって転落するのを防止できる。
【０００６】
ブックガードの凸部の上下させるのにほとんど力はいらず、上げたときは本を出し入れが可能になり、下ろせば再び転落防止の機能が働く。
【０００７】
形状がシンプルなため加工が容易で、専用の書棚を必要とせず差し込む穴の径と長ささえ合えば市販の一般的な書棚にも取り付け可能である。
【発明を実施するための最良の形態】
【０００８】
書棚の棚ダボ差込み穴の径に合った鉄のレールの両端を、書棚の内寸に合わせてクランク状に曲げ、その両端を本の上部が引っ掛かるような高さの棚ダボ差し込み穴に嵌める。
【実施例】
【０００９】
図１において、本考案部品1は、ごく一般的な書棚である2の、書籍の転倒を防止しようとする部位の前面から取り付ける。
【００１０】
図２において、書棚2の側板に左右対称にあいていると想定される、可動棚を受けるための棚ダボ差込み穴3に、ブックガードを軽く湾曲させ両側を水平に差し込む。
【００１１】
図３において、ブックガードを前方に倒してあるときは、地震などの揺れで前方にせり出してきた本を引っ張って支え転落を防止する。
【００１２】
また、本を取り出したいときはブックガードを指などで上部に持ち上げれば可能となる。再びブックガードを下ろせば転落防止機能が働く。
【００１３】
図３において、ブックガードを取り付ける位置は、ブックガードを前方に倒したとき本の上部が引っかかり、且つ、起こしたときには本にも上の板にも当たらない高さの棚ダボ差込み穴である。
【００１４】
図４において、寸法Aは取り付けようとする書棚の内寸の幅に対して、水平に収まる寸法でなければならない。
【００１５】
図４において、寸法Bは取り付けようとする書棚の棚ダボ差込み穴に収まる寸法でなければならない。
【００１６】
図４において、寸法Cは図３の棚ダボ差込み穴3に差し込まれたブックガードを倒したときに、本の上部を引っかける効果を十分得られるような棚ダボ差込み穴から本の前面までの適当な寸法である。
【符号の説明】
【００１７】
1  本考案部品1（ブックガード）
2  一般的な書棚
3  棚ダボ差込み穴
A  ブックガードの寸法
B  ブックガードの寸法
C  ブックガードの寸法
【図面の簡単な説明】
【００１８】
【図１】ブックガードの使用例斜視図である。
【図２】ブックガードの使用例斜視図である。
【図３】ブックガードの使用例斜視図である。
【図４】ブックガードの正視図である。
【図１】
2006158808.tif 000003
【図２】
2006158808.tif 000004
【図３】
2006158808.tif 000005
【図４】
2006158808.tif 000006